【手続補正書】
【提出日】平成22年10月21日(2010.10.21)
【手続補正１】
【補正対象書類名】特許請求の範囲
【補正対象項目名】全文
【補正方法】変更
【補正の内容】
【特許請求の範囲】
【請求項１】
複数チャンネルを同時受信するチューナ装置と、
前記チューナ装置で受信したチャンネルの受信番組信号を記録再生する録画装置と、
前記チューナ装置で受信したチャンネルの受信番組信号又は前記録画装置から再生した再生番組信号のいずれか一方を選択して出力する録画再生制御部と、
前記録画再生制御部からの選択番組信号を表示部へ出力する信号出力部と、
番組の選択信号が入力したとき、選択番組がリアルタイム放送されているか否かを判定する番組状態判定部と、
前記番組状態判定部の判定結果がリアルタイム放送中を示すときは前記チューナ装置で受信したチャンネルの受信番組信号を前記信号出力部へ導くように前記録画再生制御部を制御する出力番組信号選択部と
を具備したことを特徴とする多チャンネルの番組処理装置。
【請求項２】
前記選択番組の視聴終了を示す操作信号が入力したとき、前記番組の選択番組の終了ポイントのレジューム情報を作成して保存するレジューム情報処理部を有することを特徴とする請求項１記載の多チャンネルの番組処理装置。
【請求項３】
前記番組状態判定部の判定結果が過去の放送番組でありリアルタイム放送中でないことを示すときは、出力番組信号選択部は、レジューム再生が実行されるように前記録画装置及び録画再生制御部を制御することを特徴とする請求項１記載の多チャンネルの番組処理装置。
【請求項４】
前記出力番組信号選択部は、前記番組状態判定部の判定結果がリアルタイム放送中を示すときは、当該選択番組のレジューム情報として視聴終了ポイントのレジューム情報が存在しないことを条件として、前記チューナ装置で受信したチャンネルの受信番組信号を前記信号出力部へ導くように前記録画再生制御部を制御することを特徴とする請求項２記載の多チャンネルの番組処理装置。
【請求項５】
前記出力番組信号選択部は、選択した番組に対する１回目の番組の選択信号が入力したとき、前記番組状態判定部の判定結果がリアルタイム放送中を示すときは、前記チューナ装置で受信したチャンネルの受信番組信号を前記信号出力部へ導くように前記録画再生制御部を制御するが、
２回目以後の番組の選択信号が入力したとき、前記番組状態判定部の判定結果がリアルタイム放送中を示しても、該選択番組のレジューム情報を参照して視聴終了ポイントからの再生を得るように前記録画装置及び録画再生制御部を制御する
ことを特徴とする請求項２記載の多チャンネルの番組処理装置。
【請求項６】
複数チャンネルを同時受信するチューナ装置と、
前記チューナ装置で受信したチャンネルの受信番組信号を記録再生する録画装置と、
前記チューナ装置で受信したチャンネルの受信番組信号又は前記録画装置から再生した再生番組信号のいずれか一方を選択して出力する録画再生制御部と、
前記録画再生制御部からの選択番組信号を表示部へ出力する信号出力部と、
第１の操作キーと前記第１の操作キーとは異なる第２の操作キーと、
前記第１の操作キーもしくは前記第２の操作キーに基づく番組の選択信号が入力したとき、選択番組がリアルタイム放送されているか否かを判定する番組状態判定部と、
前記番組の選択信号が前記第１の操作キーの操作に基づいて入力された場合、前記番組状態判定部の判定結果がリアルタイム放送中を示すときは前記チューナ装置で受信したチャンネルの受信番組信号を前記信号出力部へ導くように前記録画再生制御部を制御し、
前記番組の選択信号が前記第２の操作キーの操作に基づいて入力された場合、前記番組状態判定部の判定結果がリアルタイム放送中を示しても、該選択番組のレジューム情報が存在するときはこのレジューム情報を参照して視聴終了ポイントからの再生を得るように前記録画装置及び録画再生制御部を制御するする出力番組信号選択部と
を具備したことを特徴とする多チャンネルの番組処理装置。
【請求項７】
第１の操作キーの操作入力があっても、前記番組状態判定部の判定結果が過去の放送番組であることを示すときは、前記出力番組信号選択部は、該選択番組のレジューム情報が存在するときはこのレジューム情報を参照して視聴終了ポイントからの再生を得るように前記録画装置及び録画再生制御部を制御することを特徴とする請求項６記載の多チャンネルの番組処理装置。
【請求項８】
複数チャンネルを同時受信するチューナ装置と、前記チューナ装置で受信したチャンネルの受信番組信号を記録再生する録画装置と、前記チューナ装置で受信したチャンネルの受信番組信号又は前記録画装置から再生した再生番組信号のいずれか一方を選択して出力する録画再生制御部と、前記録画再生制御部からの選択番組信号を表示部へ出力する信号出力部とを有した装置の制御方法において、
番組の選択信号が入力したとき、選択番組がリアルタイム放送されているか否かを判定し、
前記判定結果がリアルタイム放送中を示すときは前記チューナ装置で受信したチャンネルの受信番組信号を前記信号出力部へ導くように前記録画再生制御部を制御する
ことを特徴とする多チャンネルの番組処理装置の制御方法。
【請求項９】
前記判定結果がリアルタイム放送中を示すときは、当該選択番組のレジューム情報として視聴終了ポイントのレジューム情報が存在しないことを条件として、前記チューナ装置で受信したチャンネルの受信番組信号を前記信号出力部へ導くように前記録画再生制御部を制御することを特徴とする請求項８記載の多チャンネルの番組処理装置の制御方法。
【請求項１０】
１回目の番組の選択信号が入力したとき、前記判定結果がリアルタイム放送中を示すときは、前記チューナ装置で受信したチャンネルの受信番組信号を前記信号出力部へ導くように前記録画再生制御部を制御するが、
２回目以後の番組の選択信号が入力したとき、前記判定結果がリアルタイム放送中を示しても、該選択番組のレジューム情報を参照して視聴終了ポイントからの再生を得るように前記録画装置及び録画再生制御部を制御する
ことを特徴とする請求項８記載の多チャンネルの番組処理装置の制御方法。
【請求項１１】
複数チャンネルを同時受信するチューナ装置と、
前記チューナ装置で受信したチャンネルの受信番組信号を記録再生する録画装置と、
前記チューナ装置で受信したチャンネルの受信番組信号又は前記録画装置から再生した再生番組信号のいずれか一方を選択して出力する録画再生制御部と、
前記録画再生制御部からの選択番組信号を表示部へ出力する信号出力部と、
選択番組の視聴終了を示す操作信号が入力したとき、前記選択番組の終了ポイントのレジューム情報を作成して保存するレジューム情報処理部と、
前記チューナ装置で受信したチャンネルの受信番組信号を前記信号出力部へ導くように前記録画再生制御部を制御する出力番組信号選択部と
を具備したことを特徴とする多チャンネルの番組処理装置。
【手続補正２】
【補正対象書類名】明細書
【補正対象項目名】０００４
【補正方法】変更
【補正の内容】
【０００４】
上記課題を解決するために、複数チャンネルを同時受信するチューナ装置と、前記チューナ装置で受信したチャンネルの受信番組信号を記録再生する録画装置と、前記チューナ装置で受信したチャンネルの受信番組信号又は前記録画装置から再生した再生番組信号のいずれか一方を選択して出力する録画再生制御部と、前記録画再生制御部からの選択番組信号を表示部へ出力する信号出力部と、前記チューナ装置で受信したチャンネルの受信番組信号を前記信号出力部へ導くように前記録画再生制御部を制御する出力番組信号選択部とを具備したことを基本とする。